(57)【要約】【課題】非常時に、会社、工場、学校といった各施設に入場した個人が避難したか否かを確実に認識することができる入退出管理システムを提供する。【解決手段】入退出管理システムは、個人に所持され、識別番号および電源を有し、トリガー信号に応答するＩＤタグと、トリガー信号を出力する入退出管理装置１０とからなる。ＩＤタグは、トリガー信号に応答して電源をオンすることにより識別番号を出力する。入退出管理装置１０は、建物の出入口近傍に設けられ、トリガー信号を発信するトリガー信号発信部１１と、ＩＤタグが識別番号を出力したとき、識別番号を受信して時刻とともに記録するメモリ１７とを含む。個人の建物の出入口へのアクセスが自動的に記録されるため、記録されたデータが対になっているか否かをチェックすることにより個人がその建物内にいるのか、または建物外に出ているのかを知ることができる。【選択図】        図２
2004334546.tif 000002
【特許請求の範囲】
【請求項１】
個人に所持され、識別番号および電源を有し、トリガー信号に応答するＩＤタグと、前記トリガー信号を出力する入退出管理装置とからなる入退出管理システムであって、
前記ＩＤタグは、前記トリガー信号に応答して前記電源をオンすることにより前記識別番号を出力し、
前記入退出管理装置は、
建物の出入口近傍に設けられ、前記トリガー信号を発信するトリガー信号発信手段と、
前記ＩＤタグが前記識別番号を出力したとき、前記識別番号を受信して記録する記録手段とを含む、入退出管理システム。
【請求項２】
前記入退出管理装置は携帯可能である、請求項１に記載の入退出管理システム。
【請求項３】
前記ＩＤタグは、前記トリガー信号に応答して前記識別番号とともに所定の出力を行う、請求項１または２に記載の入退出管理システム。
【請求項４】
前記入退出管理装置は前記受信した識別番号を所定の送信先へ送信する手段を含む、請求項１から３のいずれかに記載の入退出管理システム。
【請求項５】
前記入退出管理装置は、非常時を検出する非常時検出装置に接続され、前記非常時検出装置が非常時を検出したとき、前記所定の送信先へ自動的に送信する、請求項１から４のいずれかに記載の入退出管理システム。
【請求項６】
個人に所持され、識別番号および電源を有し、トリガー信号に応答するＩＤタグと、計時手段を有し、前記トリガー信号を出力する入退出管理装置とからなる入退出管理システムであって、
前記ＩＤタグは、前記トリガー信号に応答して前記電源をオンすることにより前記識別番号を出力し、
前記入退出管理装置は、
建物の出入口近傍に設けられ、前記トリガー信号を発信するトリガー信号発信手段と、
前記ＩＤタグが前記識別番号を出力したとき、前記識別番号を受信して前記計時手段からの時刻信号とともに記録する記録手段とを含む、入退出管理システム。
【発明の詳細な説明】
【０００１】
【発明の属する技術分野】
この発明は入退出管理システムに関し、特に常時災害に備えることができ、非常時に確実に人の入退出管理ができる入退出管理システムに関する。
【０００２】
【従来の技術】
この発明に興味のある緊急対策用ネットワークシステムがたとえば下記特許文献１に開示されている。特許文献１によれば、住民の一人一人にＧＰＳ対応携帯電話が配布され、地域管理センタに住民の所持するＧＰＳ対応携帯電話からの位置情報が入力され記憶し分析されることにより、地震、津波。暴風、大雨洪水、火災等の災害時に、避難を要する地域内にそのとき実際に存在する個々の住民の位置や人口分布等を知ることができ、現実に即した的確な避難勧告等を管理サーバを介して個々の住民に行うことができる（段落番号０００１、０００５、図２等）。
【０００３】
【特許文献１】
特開２００３−４４９６９
【０００４】
【発明が解決しようとする課題】
従来の災害時の緊急対策システムは上記のように構成されていた。従来の方法では、ＧＰＳ対応携帯電話を個人に配布する必要があり、コストがかかるという問題があった。
【０００５】
また、受信データによって住民の広い範囲における所在分布を作成できるが、災害発生時に、会社、工場、学校といった各施設ごとに各個人がその施設から避難したか否か等については認識できなかった。
【０００６】
この発明は上記のような問題点に鑑みてなされたもので、会社、工場、学校といった各施設ごとにそこに入場した個人が避難したか否かを確実に認識することができる非常時に適用可能な入退出管理システムを提供することを目的とする。
【０００７】
【課題を解決するための手段】
この発明に係る、非常時に適用可能な入退出管理システムは、個人に所持され、識別番号および電源を有し、トリガー信号に応答するＩＤタグと、トリガー信号を出力する入退出管理装置とからなる。ＩＤタグは、トリガー信号に応答して電源をオンすることにより識別番号を出力する。入退出管理装置は、建物の出入口近傍に設けられ、トリガー信号を発信するトリガー信号発信手段と、ＩＤタグが識別番号を出力したとき、識別番号を受信して記録する記録手段とを含む。
【０００８】
個人は、トリガー信号に応答するＩＤタグを有し、所定の建物の出入口に設けられた、トリガー信号発信手段からのトリガー信号に応じて自己の識別番号を発信し、それが入退出管理装置に受信されて記録される。
【０００９】
個人の建物の出入口へのアクセスが自動的に記録されるため、記録されたデータが対になっているか否かをチェックすることにより個人がその建物内にいるのか、または建物外に出ているのかを知ることができる。
【００１０】
入場者が建物から出ていれば、その旨が入退出管理装置に記録されるため、入退出管理装置を調べれば建物から避難した人を知ることができる。
【００１１】
好ましくは、入退出管理装置は携帯可能である。
【００１２】
災害によって万一建物が崩壊しても、携帯可能な入退出管理装置を用いて崩壊した建物の周囲を移動すればトリガー信号に応答してＩＤタグからの識別番号を受信できるため、災害時のＩＤタグ所有者の存在位置を確認できる。
【００１３】
さらに好ましくは、ＩＤタグは、トリガー信号に応答して識別番号とともに所定の出力を行う。
【００１４】
所定の出力とは、ブザー音であっても良いし、光の発信であっても良い。ブザー音であれば災害時のＩＤタグ所有者の存在位置をより容易に確認できる。また、光であれば、夜でも容易に確認できる。
【００１５】
さらに好ましくは、入退出管理装置は受信した識別番号を所定の送信先へ送信する。
【００１６】
識別番号が所定の送信先へ送信されるため、送信先でも管理が可能になる。
【００１７】
さらに好ましくは、入退出管理装置は、非常時を検出する非常時検出装置を含み、非常時検出装置が非常時を検出したとき、所定の送信先へ識別番号を自動的に送信する。ここで非常時検出装置は地震計や火災報知器等を含む。
【００１８】
非常時を検出して、建物への入場者を識別する識別番号を所定の送信先へ自動的に送信するため、非常時に建物内にいた人を外部で自動的に知ることができる。その結果、非常時の被災者の救出が容易になる。
この発明の他の局面においては、入退出管理システムは、個人に所持され、識別番号および電源を有し、トリガー信号に応答するＩＤタグと、計時手段を有し、前記トリガー信号を出力する入退出管理装置とからなる。ＩＤタグは、トリガー信号に応答して電源をオンすることにより識別番号を出力し、入退出管理装置は、建物の出入口近傍に設けられ、トリガー信号を発信するトリガー信号発信手段と、ＩＤタグが識別番号を出力したとき、識別番号を受信して計時手段からの時刻信号とともに記録する記録手段とを含む。
【００１９】
ここで、計時手段は電波時計が好ましい。
【００２０】
【発明の実施の形態】
以下この発明の一実施の形態を図面を参照して説明する。図１は、この発明に係る、非常時に使用しうる入退出管理システムの一実施の形態がある工場に適用された場合の工場の平面図である。
【００２１】
図１を参照して、工場７０は建物として工場建家７１と受付７２とを含む。工場７０は図に示すように、事務室、応接室、管理室、会議室等の事務部門と作業場等の作業部門等を含む。
【００２２】
工場の正面出入口部７３には後に説明する入退出管理システムのトリガ発信アンテナ１２ａとトリガ信号に応答して入場者の所有するＩＤタグから発信されるＩＤ番号を受信するＩＤ受信アンテナ１３ａが設けられている。工場に別の出入口７４があればそこにも同様にトリガ発信アンテナ１２ｂおよびＩＤ受信アンテナ１３ｂが設けられる。
【００２３】
従業員等は基本的に以下に説明する従業員各人を特定するＩＤタグ３０を携帯して工場内へ立ち入る。来客等の随時の工場への入場者は受付７２において受付処理を行う。入場者はここで、入場者の固有の番号を有するＩＤタグ３０を受け取る。このＩＤタグ３０は所定のトリガー信号を受けると、それに応答して固有の識別（ＩＤ）番号を発信する。入場者はこのＩＤタグ３０を保持して出入口７３から工場内へ入場する。
【００２４】
次に非常時に適応可能な入退出管理システムの構成について説明する。図２は入退出管理システムを構成する入退出管理装置１０の構成を示すブロック図である。図２を参照して、入退出管理装置１０は所定のトリガー信号を発信するトリガー信号発信部１１と、トリガー信号発信部１１に接続され、トリガー信号を外部に向けて発信するするトリガー信号発信アンテナ１２と、ＩＤタグ３０からのＩＤ信号を受信するＩＤ受信アンテナ１３と、ＩＤ受信アンテナ１３に接続されたＩＤ受信部１４と、外部のネットワーク２３と接続され、外部とデータの送受信を行うためのデータ送受信部１５と、入退出管理装置１０全体を制御する制御部１６と、受信したＩＤ番号等を記憶するメモリ１７と、時刻を特定する電波時計のような計時部１８と、Ｄ／Ａ変換部１９、発声装置２０およびスピーカ２１からなる音声検出部２２とを含む。音声検出部２２の動作については後で説明する。入退出管理装置１０は、入退出管理装置１０とは別に設けられた非常時検出装置２４に接続されている。
【００２５】
トリガー信号発信部１１はトリガー信号発信アンテナ１２からトリガー信号を発信する。ＩＤタグ３０はこのトリガー信号を受信して固有のＩＤ番号を出力する。ＩＤ受信アンテナ１３はこのＩＤ番号を受信して、メモリ１７に受信時刻とともに受信データを記憶する。
【００２６】
非常時検出装置２４は地震計や、火災報知器等を含む。非常時検出装置２４が地震計の場合は、震度が所定のある値と超えると制御部１６に作動情報が入力され、以下に説明するように入退出管理装置１０に所定の作動を行わせるが、この非常時データは外部に設けた非常時検出装置２４に限らず、人が作動ボタンを押すことによって作動させるようにしても良い。また、外部からの信号をデータ送受信部１５で受けて作動させても良い。
【００２７】
この入退出管理装置１０は、入口部７３近傍の管理室に設けても良いが、受付７２等の工場建家とは別の建家に設けるのが好ましい。
【００２８】
次にＩＤタグ３０について説明する。図３はＩＤタグ３０の構成を示すブロック図である。図３を参照して、ＩＤタグ３０は、受信用アンテナ４０とトリガー信号検知部４１と、電池５０と、スィッチ４２と識別番号としてのＩＤ番号を発生するＩＤ番号発生部４３とを含む。ＩＤ番号発生部４３は、ＩＤ番号記憶部４６と、後に説明する生命信号を入力するマルチプレクサ（以下、ＭＵＸと省略する）４７と、変調・発振部４８と、出力回路４９とから構成される。
【００２９】
受信用アンテナ４０は入退出管理装置１０に設けられたトリガー信号発信部１１からのトリガー信号を受信するようになっており、トリガー信号検知部４１は、受信用アンテナ４０で受信された信号がトリガー信号であると認識したときにスイッチ４２をＯＮするようになっている。このように、スイッチ４２がＯＮされると、ＩＤ番号発生部４３に電源が供給されてこのＩＤ番号発生部４３からそのＩＤタグ３０に対応するＩＤ番号が送信用アンテナ４４を介して出力される。すなわちＩＤタグ３０のＩＤ番号は変調・発振部４８によって高周波信号に変換されて出力回路４９を介して送信用アンテナ４４から送信される。そして、ＩＤタグ３０の番号に対応する識別番号がトリガー発信アンテナ１２近傍の領域で発信し続けられる。
【００３０】
ＭＵＸ４７にはＡ／Ｄ変換部５５、アンプ５４介してマイク５３および、Ａ／Ｄ変換部５６を介して温度センサ５７が接続されている。マイク５３はＩＤタグ３０の所有者が災害に遭ったときにこのマイクを用いて助けを求めるのに使用する。また、温度センサ５７はＩＤタグ３０の所有者の体温を検出するために使用される。
【００３１】
ここでＭＵＸ４７前後のデータの流れについて説明する。ＩＤ番号記憶部４６からはたとえば８ビットのデータＡとしＩＤ番号を示すデータがＭＵＸ４７へ送信される。マイク５３および温度センサ５７からも同様にそれぞれ８ビットのデータＢおよびデータＣとして音声および体温を示すデータが送信されてくる。ＭＵＸ４７はこれらの３種類のデータＡ、データＢおよびデータＣを直列に連結して２４ビットのデータとして変調・発信部４８に転送する。そこから出力回路４９および送信用アンテナ４４を経て外部へ送信される。
【００３２】
なお、ＩＤタグ３０には、トリガ信号を受信してＩＤ信号を出力するだけでなく、図３に示すように光を発生する光出力回路５１や、ブザーの音声を出力する音出力回路５２を設けても良い。光を出力すれば夜間でもＩＤタグ３０の発見が容易になるし、ブザーがなれば、音を頼りにＩＤタグ３０を検出できる。
【００３３】
次に、非常時入退出管理装置１０の具体的な動作について説明する。図４は入退出管理装置１０の動作を示すフローチャートである。図１および図４を参照して、入場者がＩＤタグ３０を保持して工場５０に入場した場合について説明する。
【００３４】
まず、入退出管理装置１０はトリガー信号発信部１１からトリガーアンテナ１２を介してトリガー信号を発信する（Ｓ２１）。入場者が入場のために、出入口７３，７４近傍に来ると、トリガー信号発信アンテナ１２からのトリガー信号を受けてＩＤタグ３０からＩＤ番号が出力される。ＩＤ受信部１４は、ＩＤ受信アンテナ１３を介してこれを受けて（Ｓ２２でＹＥＳ）、計時部１８からの時刻データとともにメモリ１７に記憶する（Ｓ２３）。このときＩＤタグ３０は、ＩＤ番号や時刻だけでなく、その他の必要な情報を出力してもよい。
【００３５】
なお、このシステムでは、入場者が出入口７３，７４にアクセスする毎にそのＩＤ番号と時刻が記録されることになる。入退出管理装置１０は各ＩＤ番号毎にデータを管理するものとし、各ＩＤ番号毎に入退場を示す一対のデータが記録されていれば入場と退場がなされたものとみなしうる。逆に、一方のデータしかなければ、その従業員はまだ工場内部に存在していると判断できる。
【００３６】
非常時検出装置２４が作動して、非常事態が発生したときは（Ｓ２４）、入退出管理装置１０のデータを読出し（Ｓ２５）、データ送受信部１５から関連先へデータを送信する（Ｓ２６）。
【００３７】
データの読出しは、メモリ１７に格納されたデータを図示のない出力装置に出力することによって行われるものとする。またデータが送信される関連先とは、工場以外に本社等があれば、そこへ送信されるとともに、消防署や警察等のような官公庁に送信しても良い。
【００３８】
次に入退出管理装置１０のトリガー信号発信アンテナ１２とＩＤ受信アンテナ１３の具体的な構成例について説明する。図５はトリガー信号発信アンテナ１２とＩＤ受信アンテナ１３の具体的な構成例を示す図である。図５においてはトリガー信号発信アンテナ１２とＩＤ受信アンテナ１３とは一体化されてもよい。
【００３９】
図５（Ａ）は工場の出入口部７３、７４の足元に一体化されたアンテナを設けた場合を示す図である。また、図５（Ｂ）では出入口部を構成するパネルの一面に沿って一体化されたアンテナを設けた場合を示す図である。パネルそのものをアンテナとしてもよいし、工場の出入口の机の上などに縦型の卓上型として設置してもよい。このようにアンテナとしては任意の形状を選択できる。
【００４０】
また、トリガー信号発信アンテナ１２を（Ａ）の形状に、ＩＤ受信アンテナ１３を（Ｂ）に示す形状にしてもよい。
【００４１】
なお、入退出管理装置１０は常にバックアップとして電池で駆動するようにしておくのが好ましい。
【００４２】
次に非常時として、たとえば震災があり、工場等の建家が崩壊した場合について説明する。この場合、入退出管理装置１０は崩壊した建物内の瓦礫に埋もれてしまっている可能性が高いが、このときにはすでに入退出管理装置１０のデータは上記した関連先に送信されているから、そのデータを基にまだ建物内部に取り残されている可能性の高い人が認識できる。
【００４３】
レスキュー隊等の人はこのデータを基に当該建物から脱出できなかった可能性のある人を入退出管理装置を用いて探すことができる。すなわち、トリガ信号発信アンテナ１２からトリガー信号を発信すればそれに応答してＩＤタグ３０からＩＤ番号が出力されるためそれをＩＤ受信部１４を用いて検出できる。また、マイク５３からの音声を音声検出部２２で検出したり、温度センサ５７からの体温といった被災者（ＩＤタグ３０の所有者）の生命信号も得ることができる。
【００４４】
このためには、トリガー信号発信部１１、トリガー信号発信アンテナ１２、ＩＤ受信アンテナ１３およびＩＤ受信部１４等を含む携帯可能なＩＤ番号受信ユニットを準備する。これは入退出管理装置１０の基本的な機能（トリガー発信機能、ＩＤ受信機能）を少なくとも有するもので、持ち運びさえできればどのような形式でも良い。また、ＩＤ番号受信ユニットには、生命信号や受信したＩＤ番号の確認のために表示部を設けても良い。
【００４５】
次に、この発明の他の応用例について説明する。他の応用例は工場７０において立ち入り禁止区域のガイドとしてこのシステムを利用する。すなわち、工場７０内の領域には、自由に出入りできる領域Ｘと、所定の人のみがアクセスできる領域Ｙと、所定の管理者のみがアクセスできる領域Ｚがあるものとする。このうち領域ＹおよびＺの出入口に上記したシステムの入退出管理装置１０を設ける。ＩＤタグ３０の有する識別番号によって各領域のアクセス権を決めておき、アクセス権を有しない人がアクセスしようとすると警告を発するようにする。このためには、入退出管理装置１０には警告用の音声システムを組み込んでおく。
【００４６】
次に、この発明のさらに他の応用例について説明する。さらに他の応用例においては工場７０において受付７２で来客の人にＩＤタグ３０を渡し、その人が工場７０内の所望の場所に行くためのガイドシステムとして利用する。すなわち、工場７０の主要点に入退出管理装置１０を設け、そこで所定のＩＤタグ３０を検出したときは、そのＩＤタグ３０に対して音声によって進行方向等をガイドする。
【００４７】
上記実施の形態においては非常時に対処可能な入退出管理装置１０を工場に設けた場合について説明したが、これに限らず、この入退出管理装置１０を一つの建物内に複数の人が入居しているマンションや、一般の会社や、映画館、劇場などに適用しても良い。
【００４８】
上記実施の形態においては、ＩＤタグ３０には光出力回路５１や、音出力回路５２や、音声を検出するためのマイク５３や、体温を測定するための温度センサ５７を設けた例について説明したが、これに限らず、これらのうちの任意のものを組み合わせても良い。また、最も単純にはＩＤ番号のみを発信しても良い。
【００４９】
上記実施の形態においては、入退出管理装置１０には表示部を設けなかった例について説明したが、これに限らず、ＩＤ受信部で受信したデータや計時部の有する時刻データを表示するための表示部を設けても良い。
【００５０】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【図面の簡単な説明】
【図１】この発明の一実施の形態にかかる非常時に対処できる入退出管理システムが適用される工場を上方からみた模式図である。
【図２】入退出管理装置の構成を示すブロック図である。
【図３】ＩＤタグの構成を示すブロック図である。
【図４】非常時入退出管理装置の処理内容を示すフローチャートである。
【図５】トリガー信号発信アンテナおよびＩＤ受信アンテナの具体的構成の一例を示す図ある。
【符号の説明】
１０  入退出管理装置、１１  トリガー信号発信部、１２  トリガー信号発信アンテナ、１３  ＩＤ受信アンテナ、１４  ＩＤ受信部、１５  データ送受信部、１６  制御部、１７  メモリ、１８  計時部、２０  非常時検出装置、３０  ＩＤタグ、５０  電池
【図１】
2004334546.tif 000003
【図２】
2004334546.tif 000004
【図３】
2004334546.tif 000005
【図４】
2004334546.tif 000006
【図５】
2004334546.tif 000007